(57)【要約】【課題】要求サービス度に応じた伝送を行い、しかもシステム規模を抑えた網を構築する。【解決手段】ＩＳＰ／ＶＰＮへのコアネットワークを経由してのアクセスサービスにおいて、加入者端末収容エッジノード２は、加入者端末からの要求に基づく要求サービス識別子をＭＰＬＳのインナーラベルに設定し、かつ上記コアネットワークでの伝送優先度をＭＰＬＳのアウターラベルに設定し、対抗してサービス提供サーバを収容するサービス側エッジノード４は、加入者端末エッジノードへの伝送サービス識別子をＭＰＬＳのインナーラベルに設定し、かつコアネットワークでの伝送優先度をＭＰＬＳのアウターラベルに設定して、伝送路を形成するようにした。【選択図】　　　　図２
2004040723.tif 000002
【特許請求の範囲】
【請求項１】
インターネット・サービス・プロバイダまたはバーチャル・プライベート・ネットワークへのコアネットワークを経由してのアクセスサービスにおいて、
加入者端末収容エッジノードは、加入者端末からの要求に基づく要求サービス識別子をマルチプロトコル・ラベル・スイッチングのインナーラベルに設定し、かつ上記コアネットワークでの伝送優先度をマルチプロトコル・ラベル・スイッチングのアウターラベルに設定し、
対抗してサービス提供サーバを収容するサービス側エッジノードは、上記加入者端末エッジノードへの伝送サービス識別子をマルチプロトコル・ラベル・スイッチングのインナーラベルに設定し、かつ上記コアネットワークでの伝送優先度をマルチプロトコル・ラベル・スイッチングのアウターラベルに設定して、伝送路を形成するようにしたことを特徴とするアクセスサービス網構築システム。
【請求項２】
加入者端末収容エッジノードまたはサービス側エッジノードは、サービス帯域が変化すると必要に応じてコアネットワークのコアノードに帯域変更を要求し、該コアノードは、対応して帯域を変更するようにしたことを特徴とする請求項１記載のアクセスサービス網構築システム。
【請求項３】
インターネット・サービス・プロバイダまたはバーチャル・プライベート・ネットワークへのコアネットワークを経由してのアクセスサービスにおいて、
加入者端末収容エッジノードは、加入者端末からの要求に基づく要求サービス識別子をマルチプロトコル・ラベル・スイッチングのインナーラベルに設定する第１のステップと、
上記コアネットワークでの伝送優先度をマルチプロトコル・ラベル・スイッチングのアウターラベルに設定する第２のステップと、
対抗してサービス提供サーバを収容するサービス側エッジノードは、上記加入者端末エッジノードへの伝送サービス識別子をマルチプロトコル・ラベル・スイッチングのインナーラベルに設定する第３のステップと、
上記コアネットワークでの伝送優先度をマルチプロトコル・ラベル・スイッチングのアウターラベルに設定する第４のステップと、を備えたことを特徴とするアクセスサービス網構築方法。
【請求項４】
加入者端末収容エッジノードまたはサービス側エッジノードは、サービス帯域が変化すると必要に応じてコアネットワークのコアノードに帯域変更を要求する第５のステップを、
上記コアノードは、対応して帯域を変更する第６のステップを、備えたことを特徴とする請求項３記載のアクセスサービス網構築方法。
【発明の詳細な説明】
【０００１】
【発明の属する技術分野】
本発明は、加入者端末と、ＩＳＰ（Ｉｎｔｅｒｎｅｔ　Ｓｅｒｖｉｃｅ　Ｐｒｏｖｉｄｅｒ）またはＶＰＮ（Ｖｉｒｔｕａｌ　Ｐｒｉｖａｔｅ　Ｎｅｔｗｏｒｋ）の間のパケットデータ転送サービスを提供する、ＩＳＰ／ＶＰＮアクセスサービス網の構築に関するものである。
【０００２】
【従来の技術】
ＩＳＰ／ＶＰＮアクセスサービス網の構築は、加入者端末と、加入者端末を収容するエッジノードの間のプロトコルとしてＰＰＰｏＥ（ＰＰＰ　ｏｖｅｒ　Ｅｔｈｅｒｎｅｔ（登録商標））を使用し、加入者端末を収容するエッジノードと、ＩＳＰ／ＶＰＮのアクセスポイントと接続するエッジノードの間のプロトコルとしてＬ２ＴＰ（Ｌａｙｅｒ２　Ｔｕｎｎｅｌｉｎｇ　Ｐｒｏｔｏｃｏｌ）を使用している。（以下、従来技術Ａと呼ぶ）
【０００３】
図５に従来のシステム構成の例を示す。
図において、１２は加入者端末、１３は加入者端末を収容するエッジノード（以下、加入者端末収容エッジノードと呼ぶ）、１４はＩＳＰ／ＶＰＮアクセスサービス網内に設置されるＲＡＤＩＵＳサーバ、１５はＩＳＰ／ＶＰＮのアクセスポイントに接続するエッジノード（以下、ＩＳＰ／ＶＰＮ接続エッジノードと呼ぶ）、１６は加入者収容端末が接続を希望するＩＳＰ／ＶＰＮ、２７はＩＳＰ／ＶＰＮアクセスサービス網を構成するコアノードである。
【０００４】
次に動作について説明する。
加入者端末１２がＩＳＰ／ＶＰＮ１６に接続する場合、加入者端末１２が加入者端末収容エッジノード１３に接続要求メッセージを送信する。
加入者端末収容エッジノード１３は、接続要求メッセージを受信すると、接続要求メッセージに示される加入者識別情報からどのＩＳＰ／ＶＰＮ接続エッジノードに接続する必要があるかを判定するために、ＲＡＤＩＵＳサーバ１４に問い合わせを行う。
ＲＡＤＩＵＳサーバ１４は、接続要求メッセージに示される加入者識別情報からどのＩＳＰ／ＶＰＮ接続エッジノードに接続する必要があるかを判定した結果を、加入者端末収容エッジノード１３に応答として返す。
ＲＡＤＩＵＳサーバ１４からの応答を受けて、加入者端末収容エッジノード１３は、ＩＳＰ／ＶＰＮ接続エッジノード１５との間でＬ２ＴＰセッションを確立するための手順を実行し、Ｌ２ＴＰセッションを確立する。
加入者端末収容エッジノード１３とＩＳＰ／ＶＰＮ接続エッジノード１５との間にＬ２ＴＰセッションが確立した後に、加入者端末１２とＩＳＰ／ＶＰＮ１６の間で送受信されるＩＰパケットを、加入者端末収容エッジノード１３とＩＳＰ／ＶＰＮ接続エッジノード１５の間で送受信されるＬ２ＴＰパケットにカプセル化して転送する。
【０００５】
上記の他の関連する従来技術として、ＩＰ−ＶＰＮ網内部でＱｏＳ指定可能な転送サービスを実現する方式として、特開２００１−１８９７５４号公報（以下、従来技術Ｂと呼ぶ）と特開２００１−２３７８７６号公報（以下、従来技術Ｃと呼ぶ）が存在する。いずれも、ＱｏＳサーバ（もしくは、ポリシサーバ）が、ＩＰアドレスを含むＩＰヘッダ内容に基づき転送対象ＩＰパケットをどの様に転送する必要があるかを、ネットワークを構成する各ルータに対して設定することで、ＱｏＳ付転送サービスを実現する方式である。
【０００６】
【発明が解決しようとする課題】
従来技術ＡによりＩＳＰ／ＶＰＮアクセスサービス網を構築した場合、加入者端末１２とＩＳＰ／ＶＰＮ１６の間で送受信されるＩＰパケットが、加入者端末収容エッジノード１３とＩＳＰ／ＶＰＮ接続エッジノード１５の間で送受信されるＬ２ＴＰパケットにカプセル化して転送されるため、加入者端末１２とＩＳＰ／ＶＰＮ１６の間の転送サービスとしてベストエフォート型の転送サービスしか提供することができず、ＱｏＳパラメータを指定した転送サービス提供を行うことができないという課題がある。
【０００７】
ＱｏＳパラメータを指定した転送サービス提供を行うために、従来技術Ｂ，従来技術ＣをＩＳＰ／ＶＰＮアクセスサービス網構築に適用する場合、以下の様な課題が存在する。
先ず、加入者端末台数増加に対するスケーラビリティが良くない。
即ち、従来技術Ｃを用いてＱｏＳ保証付ＩＳＰ／ＶＰＮアクセスサービス網を構築する場合、個々の加入者端末用の設定をＱｏＳサーバがコアノードに対しても行い、コアノードでのパケット転送処理において、個々の加入者端末用の設定情報内容を元にどの様な転送処理を行うかを決定する必要がある。コアノードには複数のエッジノードのトラフィックが集約されるので、コアノードでは、ＩＳＰ／ＶＰＮアクセスサービス網全体で収容する加入者端末数に比例した設定データを管理する必要が生じる。このため、ＩＳＰ／ＶＰＮアクセスサービス網全体で収容可能な加入者端末数が、コアノードの処理能力によって大きく制約を受けることとなる。
従来技術Ｂを用いてＱｏＳ保証付ＩＳＰ／ＶＰＮアクセスサービス網を構築する場合も、同様の問題がある。即ち、従来技術Ｂの記述には、コアノードに対する設定を無くすることも可能と書かれているが、コアノードに対する設定無しでＱｏＳ保証付サービスを提供するためには、コアノードの各インタフェースの帯域が、コアノードが転送すべきトラフィックの帯域に比較して充分大きいことが必要となり、ネットワークの帯域を効率的に利用することができなくなるため、実際の運用ではコアノードに対する設定が必要になると考えられる。
【０００８】
また、従来技術Ｂ，Ｃに記述される、ＱｏＳサーバ／ポリシサーバが、ＩＰアドレスを含むＩＰヘッダ内容に基づき転送対象ＩＰパケットをどの様に転送する必要があるかを各ルータに対して設定する方式で、ＩＳＰ／ＶＰＮアクセスサービス網でのＱｏＳサービスを提供する場合を検討する。この場合、加入者端末がＩＳＰ／ＶＰＮに接続する時点で、加入者端末に割り当てるＩＰアドレスを決定する機構が、加入者端末に割り当てたＩＰアドレスをＱｏＳサーバ／ポリシーサーバに対して通知する。そして、ＱｏＳサーバ／ポリシーサーバが、通知されたＩＰアドレス情報とＱｏＳ指定内容を元にネットワーク内のどのルータを経由してパケットを転送するかを判断し、ネットワークの各ルータに対して設定を行う必要がある。ＩＳＰ／ＶＰＮアクセスサービス網の加入者端末数が増えるに従って、単位時間あたりの加入者端末の接続／切断回数増えることが予想され、それに伴いＱｏＳサーバ／ポリシーサーバでの処理がボトルネックになることが懸念されるが、従来技術Ｂ，ＣにはＱｏＳサーバの処理能力を高めるための方法については言及がない。複数台のＱｏＳサーバを用いて分散処理を行うことでＱｏＳサーバの処理能力を高めることが考えられるが、ＱｏＳサーバが行うルータへの設定内容を決定する処理では、ＩＳＰ／ＶＰＮアクセスサービス網のネットワークトポロジと各インタフェースで利用可能な帯域の情報を使用する必要があるが、この情報へのアクセスがボトルネックとなり処理能力を高めることが困難であると考えられる。
【０００９】
本発明は上記課題を解決するためになされたものであり、ＩＳＰ／ＶＰＮアクセスサービス網において、加入者端末が利用する転送サービスのＱｏＳパラメータ内容を、必要に応じて加入者端末が動的に指定可能とし、かつ加入者端末台数に対してスケーラブルなシステムを得ることを目的とする。
【００１０】
【課題を解決するための手段】
この発明に係るアクセスサービス網構築システムは、インターネット・サービス・プロバイダまたはバーチャル・プライベート・ネットワークへのコアネットワークを経由してのアクセスサービスにおいて、
加入者端末収容エッジノードは、加入者端末からの要求に基づく要求サービス識別子をマルチプロトコル・ラベル・スイッチングのインナーラベルに設定し、かつ上記コアネットワークでの伝送優先度をマルチプロトコル・ラベル・スイッチングのアウターラベルに設定し、
対抗してサービス提供サーバを収容するサービス側エッジノードは、加入者端末エッジノードへの伝送サービス識別子をマルチプロトコル・ラベル・スイッチングのインナーラベルに設定し、かつコアネットワークでの伝送優先度をマルチプロトコル・ラベル・スイッチングのアウターラベルに設定して、伝送路を形成するようにした。
【００１１】
また更に、加入者端末収容エッジノードまたはサービス側エッジノードは、サービス帯域が変化すると必要に応じてコアネットワークのコアノードに帯域変更を要求し、コアノードは、対応して帯域を変更するようにした。
【００１２】
この発明に係るアクセスサービス網構築方法は、インターネット・サービス・プロバイダまたはバーチャル・プライベート・ネットワークへのコアネットワークを経由してのアクセスサービスにおいて、
加入者端末収容エッジノードは、加入者端末からの要求に基づく要求サービス識別子をマルチプロトコル・ラベル・スイッチングのインナーラベルに設定する第１のステップと、コアネットワークでの伝送優先度をマルチプロトコル・ラベル・スイッチングのアウターラベルに設定する第２のステップと、
対抗してサービス提供サーバを収容するサービス側エッジノードは、加入者端末エッジノードへの伝送サービス識別子をマルチプロトコル・ラベル・スイッチングのインナーラベルに設定する第３のステップと、コアネットワークでの伝送優先度をマルチプロトコル・ラベル・スイッチングのアウターラベルに設定する第４のステップと、を備えた。
【００１３】
また更に、加入者端末収容エッジノードまたはサービス側エッジノードは、サービス帯域が変化すると必要に応じてコアネットワークのコアノードに帯域変更を要求する第５のステップを、
コアノードは、対応して帯域を変更する第６のステップを、備えた。
【００１４】
【発明の実施の形態】
実施の形態１．
本発明のＩＳＰ／ＶＰＮアクセスサービス網構築システムを実現するＩＳＰ／ＶＰＮアクセスサービス網の構成例を図１に基づいて説明する。
図１において、１は加入者端末、２は本発明の重要構成要素である、サービスを実現するための機能を備えた加入者端末収容エッジノード、３はＩＳＰ／ＶＰＮアクセスサービス網内に設置されるＲＡＤＩＵＳサーバ、４は同じく本発明の重要要素であるサービス機能を備えたＩＳＰ／ＶＰＮ接続エッジノード、５は加入者収容端末が接続を希望するＩＳＰ／ＶＰＮ、６はＩＳＰ／ＶＰＮアクセスサービス網を構成するコアノードである。
【００１５】
本発明のＩＳＰ／ＶＰＮアクセスサービス網構築方法は、加入者端末１とＩＳＰ／ＶＰＮ５の間のＩＰパケット転送のために、ＭＰＬＳ（Ｍｕｌｉｐｒｏｔｏｃａｌ　Ｌａｂｅｌ　Ｓｗｉｔｃｈｉｎｇ）のｔｗｏ　ｌｅｖｅｌ　ｓｔａｃｋ技術を用いる。即ち、加入者端末収容エッジノード２（以下ノードＡと呼ぶ）は、ＩＳＰ／ＶＰＮ接続エッジノード４（以下ノードＢと呼ぶ）との間に、図１に表記される１対（Ａ→Ｂ方向とＢ→Ａ方向）のｔｗｏ　ｌｅｖｅｌ　ｓｔａｃｋＬＳＰを設定する。そして、加入者端末１とＩＳＰ／ＶＰＮ５の間で送受信されるＩＰパケットを、ｉｎｎｅｒ　ｌａｂｅｌとｏｕｔｅｒ　ｌａｂｅｌの２段のＭＰＬＳラベルを付与してノードＡとノードＢの間で転送する。ｏｕｔｅｒ　ｌａｂｅｌに対応するノードＡとノードＢの間のＬＳＰは、ＡとＢの組に対してノードＡ→ノードＢ方向とノードＢ→ノードＡ方向にそれぞれ一本ずつ、もしくは、接続先ＩＳＰ／ＶＰＮに対してノードＡ→ノードＢ方向とノードＢ→ノードＡ方向にそれぞれ一本ずつ設定する。ｉｎｎｅｒ　ｌａｂｅｌに対応するノードＡとノードＢの間のＬＳＰは、加入者端末１とＩＳＰ／ＶＰＮ５の間の接続に対して、ノードＡ→ノードＢ方向とノードＢ→ノードＡ方向にそれぞれ一本ずつ設定する。
【００１６】
ＭＰＬＳのｔｗｏ　ｌｅｖｅｌ　ｓｔａｃｋ技術を用いることで、コアノード６はｏｕｔｅｒ　ｌａｂｅｌに基づくパケット転送処理を行えばよいこととなり、ｏｕｔｅｒ　ｌａｂｅｌに対応するＬＳＰに関するＱｏＳパラメータのみを管理すればよく、個々の加入者端末に関するＱｏＳパラメータを管理する必要はなくなる。ある加入者端末に関するＱｏＳパラメータは、その加入者端末を収容する加入者端末収容エッジノード２と、その加入者端末がＩＳＰ／ＶＰＮに接続するために使用するＩＳＰ／ＶＰＮ接続エッジノード４のみが管理すればよい。これにより、加入者端末数が増えた場合でも、コアノード６で管理すべき設定データ量は両端のエッジノードの組合せ分のみの伝送管理をすればよいので、端末毎の管理が必要なく、従って伝送管理量は増えず、コアノードにおけるスケーラビリティの制約は生じない。
【００１７】
図２は、図１の構成における新規要素である加入者端末エッジノードと、同じく新規要素であるサービス側のＩＳＰ／ＶＰＮエッジノードの発明部分を示す図である。図において、２１は両端間での情報重要度を指定するインナー・ラベル（ｉｎｎｅｒ　ｌａｂｅｌ）値と、コアノードを経由するコアネットワークにおける伝送重要度を設定するアウタアー・ラベル（ｏｕｔｅｒ　ｌａｂｅｌ）値を決定する回路である。また２０１の物理層、２０２のデータリンク層、２０３のＰＰＰｏＥ　層、２０４のネットワーク層、２０５のトランスポート層、及び２０６のアプリケーション層のうちで本実施の形態では、ＰＰＰｏＥ層２０３を２１０のＭＰＬＳ層とし、このうちＭＰＬＳ　ｏｕｔｅｒ　ｌａｂｅｌ層２１１、ｉｎｎｅｒ　ｌａｂｅｌ層２１２の値をインナー・ラベル値・アウタアー・ラベル値決定回路２１で設定する。
また図３（ａ）は加入者端末エッジノード２の実施の形態１に係る動作を示すフロー図であり、図３（ｂ）はＩＳＰ／ＶＰＮエッジノード４の動作を示すフロー図である。更に図４は、加入者端末１とＩＳＰ／ＶＰＮサーバ間のデータ授受時のシーケンスを示す図である。
【００１８】
加入者端末が、ＩＳＰ／ＶＰＮアクセスサービス網に対してあるＩＳＰ／ＶＰＮへの接続を要求してきた場合の接続処理の流れは以下の通りである。
加入者端末収容エッジノード２とＩＳＰ／ＶＰＮ接続エッジノード４の間には、加入者端末収容エッジノード２→ＩＳＰ／ＶＰＮ接続エッジノード４方向のＬＳＰであるＬＳＰ１と、ＩＳＰ／ＶＰＮ接続エッジノード４→加入者端末収容エッジノード２方向のＬＳＰであるＬＳＰ２が、予め設定されているものとする。
加入者端末１は、加入者端末収容エッジノード２に対して、接続先ＩＳＰ／ＶＰＮと転送サービスで使用するＱｏＳパラメータ内容を特定するために必要な情報を含んだ接続要求メッセージを送信し、特定のＩＳＰ／ＶＰＮへの接続を要求する。
加入者端末収容エッジノード２は、加入者端末１から受信した接続要求メッセージの内容を解析し、接続先ＩＳＰ／ＶＰＮがどこであるかと、転送サービスで使用するＱｏＳパラメータ内容を判定し、どのＩＳＰ／ＶＰＮ接続エッジノード４を利用して、加入者端末にＩＳＰ／ＶＰＮアクセスサービスを提供するかを決定する。同時に、加入者端末収容エッジノード２とＩＳＰ／ＶＰＮ接続エッジノード４の間に設定されるＬＳＰ（ｔｗｏ　ｌｅｖｅｌ　ｓｔａｃｋ　ＬＳＰのｏｕｔｅｒ　ｌａｂｅｌに対応するＬＳＰ）の中でどのＬＳＰ（以下ＬＳＰ１と呼ぶ）をデータ転送サービスに使用するかも決定する。
【００１９】
加入者端末収容エッジノード２は、ＬＳＰ１のＱｏＳパラメータを、加入者端末１が要求するＱｏＳパラメータを収容可能な値に変更するためのＭＰＬＳシグナリングメッセージを送信する。このＭＰＬＳシグナリングメッセージに、ＩＳＰ／ＶＰＮ接続エッジノード４から加入者端末収容エッジノード２方向へのデータ転送で使用するＱｏＳパラメータと、ＩＳＰ／ＶＰＮ接続エッジノード４が加入者端末１宛のパケットを送信する際に使用するｉｎｎｅｒ　ｌａｂｅｌ値を示すパラメータを含める。（図４の（７））
コアノード６は、加入者端末収容エッジノード２からＭＰＬＳシグナリングメッセージを受信すると、ＬＳＰ１のＱｏＳパラメータを指定される内容に変更するための処理を行い、ＩＳＰ／ＶＰＮ接続エッジノード４へＭＰＬＳシグナリングメッセージを送信する。
【００２０】
ＩＳＰ／ＶＰＮ接続エッジノード４は、コアノード６からＭＰＬＳシグナリングメッセージを受信すると、ＬＳＰ１のＱｏＳパラメータを変更するための処理を行い、加入者端末１宛のパケットを送信する際に使用するｉｎｎｅｒ　ｌａｂｅｌ値を保存する。そして、ＬＳＰ１と対になる、ＩＳＰ／ＶＰＮ接続エッジノード４から加入者端末収容エッジノード２方向へのデータ転送に使用されるＭＰＬＳ　ＬＳＰ（ｔｗｏ　ｌｅｖｅｌ　ｓｔａｃｋ　ＬＳＰのｏｕｔｅｒ　ｌａｂｅｌに対応するＬＳＰ、以下ＬＳＰ２と呼ぶ）のＱｏＳパラメータ値を、ＭＰＬＳシグナリングメッセージに示される、ＩＳＰ／ＶＰＮ接続エッジノード４から加入者端末収容エッジノード２方向へのデータ転送で使用するＱｏＳパラメータを収容可能な値に変更するためのＭＰＬＳシグナリングメッセージを、加入者端末収容エッジノード２へ送信する。このＭＰＬＳシグナリングメッセージに、加入者端末収容エッジノード２がＩＳＰ／ＶＰＮ宛のパケットを送信する際に使用するｉｎｎｅｒ　ｌａｂｅｌ値を示すパラメータを含める。（図４の（９））
【００２１】
コアノード６は、ＩＳＰ／ＶＰＮ接続エッジノード４からＭＰＬＳシグナリングメッセージを受信すると、ＬＳＰ２のＱｏＳパラメータを指定される内容に変更するための処理を行い、加入者端末収容エッジノード２へＭＰＬＳシグナリングメッセージを送信する。
加入者端末収容エッジノード２は、コアノード６からＭＰＬＳシグナリングメッセージを受信すると、ＬＳＰ２のＱｏＳパラメータを変更するための処理を行い、加入者端末１からＩＳＰ／ＶＰＮ方向のパケットを送信する際に使用するｉｎｎｅｒ　ｌａｂｅｌ値を保存する。
上記方式では、加入者端末を直接収容する加入者端末収容エッジノード２が、加入者端末１のＩＳＰ／ＶＰＮへの接続／切断をトリガとして、加入者端末収容エッジノード−コアノード−ＩＳＰ／ＶＰＮ接続エッジノード間でのＭＰＬＳシグナリング処理を行い、ＭＰＬＳシグナリング処理の中で、ＱｏＳパラメータを実現可能な経路決定と、加入者収容端末とＩＳＰ／ＶＰＮ間の論理回線に対して、加入者端末が指定するＱｏＳサービスを提供するためのルータ設定を行うので、加入者端末がＩＳＰ／ＶＰＮに接続する際の経路決定処理とルータ設定処理がネットワーク内ルータ間で分散的に行われて、ＱｏＳサーバ／ポリシーサーバで集中的に処理を行う場合よりも加入者端末数増加に対するスケーラビリティがよい。
【００２２】
加入者端末１とＩＳＰ／ＶＰＮ５の間でのパケット転送処理の流れは、以下の通りである。加入者端末収容エッジノード２が加入者端末１からパケットを受信した時に、どの加入者収容端末−ＩＳＰ／ＶＰＮ間接続用のパケットかを判定し、加入者収容端末−ＩＳＰ／ＶＰＮ間接続に対応するｏｕｔｅｒ　ｌａｂｅｌ相当のＬＳＰとｉｎｎｅｒ　ｌａｂｅｌ値を決定し、加入者収容端末−ＩＳＰ／ＶＰＮ間接続に対応したＱｏＳ転送処理を行ってコアノード６へ転送する。
コアノード６は、加入者端末収容エッジノード２からパケットを受信すると、ｏｕｔｅｒ　ｌａｂｅｌの値に基づくＱｏＳ転送処理を行って、ＩＳＰ／ＶＰＮ接続エッジノード４へパケットを転送する。
ＩＳＰ／ＶＰＮ接続エッジノード４は、コアノード６からパケットを受信すると、ｉｎｎｅｒ　ｌａｂｅｌの値を元にどの加入者収容端末−ＩＳＰ／ＶＰＮ間接続用のパケットかを判定し、転送先ＩＳＰ／ＶＰＮを決定し、加入者収容端末−ＩＳＰ／ＶＰＮ間接続に対応したＱｏＳ転送処理を行ってＩＳＰ／ＶＰＮ５へ転送する。
【００２３】
ＩＳＰ／ＶＰＮ接続エッジノード４は、ＩＳＰ／ＶＰＮ５からパケットを受信すると、送信元ＩＳＰ／ＶＰＮとパケット内フィールドの情報を元にどの加入者収容端末−ＩＳＰ／ＶＰＮ間接続用のパケットかを判定し、加入者収容端末−ＩＳＰ／ＶＰＮ間接続に対応するｏｕｔｅｒ　ｌａｂｅｌ相当のＬＳＰとｉｎｎｅｒ　ｌａｂｅｌ値を決定し、加入者収容端末−ＩＳＰ／ＶＰＮ間接続に対応したＱｏＳ転送処理を行ってコアノード６へ転送する。
コアノード６は、ＩＳＰ／ＶＰＮ接続エッジノード４からパケットを受信すると、ｏｕｔｅｒ　ｌａｂｅｌの値に基づくＱｏＳ転送処理を行って、加入者端末収容エッジノード２へパケットを転送する。
加入者端末収容エッジノード２は、コアノード６からパケットを受信すると、ｉｎｎｅｒ　ｌａｂｅｌの値に基づき転送先加入者端末を判定し、加入者端末へパケットを転送する。
上記方式では、加入者端末収容エッジノードとＩＳＰ／ＶＰＮ接続エッジノード間は、ＭＰＬＳのｔｗｏ　ｌｅｖｅｌ　ｓｔａｃｋという任意のレイヤ２プロトコルメッセージを転送可能な接続方式を使用しているので、加入者端末と加入者端末収容エッジノード間の接続方式として、任意のレイヤ２プロトコルメッセージを転送可能な接続方式（例　ＰＰＰｏＥ）を使用することで、Ｌ２−ＶＰＮへのアクセスサービス網を対象とした場合にもＱｏＳサービスを提供可能である。
【００２４】
【発明の効果】
以上のようにこの発明によれば、両端のエッジノードではマルチプロトコル・ラベル・スイッチングのインナーラベルに優先度を設定し、コアネットワークでの伝送優先度をアウターラベルに設定するので、端末側の優先度による直接的な影響を防いで容易にコアノード内での伝送が行われ、かつユーザサービスを確保できる効果がある。
【００２５】
また更に、アウターラベルを変更することで、木目細かく優先度を変えてユーザサービスを制御できる効果がある。
【図面の簡単な説明】
【図１】この発明の実施の形態１におけるＩＳＰ／ＶＰＮアクセスサービス網の構成例を示す図である。
【図２】実施の形態１における加入者端末収容エッジノードと、ＩＳＰ／ＶＰＮ接続エッジノードの構成を示す図である。
【図３】実施の形態１における加入者端末収容エッジノードと、ＩＳＰ／ＶＰＮ接続エッジノードの動作を示すフロー図である。
【図４】実施の形態１におけるＩＳＰ／ＶＰＮアクセスサービス網のシーケンスを示す図である。
【図５】従来のＩＳＰ／ＶＰＮアクセスサービス網の構成例を示す図である。
【符号の説明】
１　加入者端末、２　加入者端末収容エッジノード、４　ＩＳＰ／ＶＰＮ接続エッジノード、５　ＩＳＰネットワーク／ＶＰＮネットワーク、６　コアノード、２１　インナー・ラベル値／アウター・ラベル値決定回路、２１０　ＭＰＬＳ層、２１１　ＭＰＬＳ　ｏｕｔｅｒ　ｌａｂｅｌ層、２１２　ＭＰＬＳ　ｉｎｎｅｒ　ｌａｂｅｌ層。
【図１】
2004040723.tif 000003
【図２】
2004040723.tif 000004
【図３】
2004040723.tif 000005
【図４】
2004040723.tif 000006
【図５】
2004040723.tif 000007